(57)【要約】【課題】背凭れが傾動可能でありながら、座が前傾する際に背凭れが前傾することなく、そして、座が前傾した状態で背凭れを後傾させることができるようにする。【解決手段】メインフレーム１と、座受部材２と、メインフレーム１と揺動可能に連結されると共に座受部材２と回動可能に連結される背支持フレーム３とを備え、メインフレーム１に対して座受部材２を前後動及び上下動可能且つ揺動可能に連結する回転スライド機構５を有するようにした。【選択図】図１
2015096165.tif 000002
【特許請求の範囲】
【請求項１】
メインフレームと、座受部材と、前記メインフレームと揺動可能に連結されると共に前記座受部材と回動可能に連結される背支持フレームとを備え、前記メインフレームに対して前記座受部材を前後動及び上下動可能且つ揺動可能に連結する回転スライド機構を有することを特徴とする椅子のロッキング機構。
【請求項２】
前記回転スライド機構を、前記メインフレームに設けられた前後方向の長孔と、前記座受部材に設けられた上下方向の長孔と、これら前後方向の長孔と上下方向の長孔とを貫通する連結ピンとにより構成することを特徴とする請求項１記載の椅子のロッキング機構。
【請求項３】
前記回転スライド機構を、前記メインフレームに設けられた上下方向の長孔と、前記座受部材に設けられた前後方向の長孔と、これら上下方向の長孔と前後方向の長孔とを貫通する連結ピンとにより構成することを特徴とする請求項１記載の椅子のロッキング機構。
【請求項４】
前記連結ピンを貫通させて前記メインフレームに取り付けられるスライダと、前記スライダによって前記メインフレームに対して前後にスライド可能且つ揺動可能に支持されると共に前記座受部材に設けられたガイド部に一端が支持される反力伝達アームと、前記反力伝達アームを介して前記座受部材の前傾に対する反発力を発揮する反力付与手段とを更に備え、前記座受部材が、前記反力付与手段により発揮される反発力によって前記反力伝達アームを介して付勢されている水平位置と、前記反力伝達アームが前記反力付与手段の反発力に抗しながら揺動した前傾位置とに切り替えられることを特徴とする請求項２または３記載の椅子のロッキング機構。
【請求項５】
前記反力付与手段がロック機構付きの流体スプリングであり、前記座受部材が任意の傾斜位置で固定されることを特徴とする請求項４記載の椅子のロッキング機構。
【請求項６】
前記メインフレームが椅子の脚の脚支柱の上端部に取り付けられ、前記座受部材が座を支持し、前記背支持フレームが背凭れを支持する、請求項１から５のいずれか一つに記載の椅子のロッキング機構を備えることを特徴とする椅子。
【発明の詳細な説明】
【技術分野】
【０００１】
本発明は、椅子のロッキング機構および椅子に関する。さらに詳述すると、本発明は、例えば事務用椅子に用いて好適なロッキング機構に関する。
【背景技術】
【０００２】
従来より、背凭れが傾動可能であると共に座が前傾可能な椅子が使用されている。背凭れ及び座が傾動可能な椅子の従来のロッキング機構として、図６に示すように、椅子の脚１０４の脚支柱の上端部に取り付けられるメインフレーム１０１と、当該メインフレーム１０１に支持される座１０２及び背凭れ１０３とを備え、機能的に、座１０２と背凭れ１０３とを連動させてロッキングさせるための背座ロッキング機能と、座１０２の前傾角度を調節するための前傾角度調節機能とを有するものがある（特許文献１）。
【先行技術文献】
【特許文献】
【０００３】
【特許文献１】特開２００２−１１９３５８号
【発明の概要】
【発明が解決しようとする課題】
【０００４】
しかしながら、特許文献１の椅子のロッキング機構では、座１０２の傾動と背凭れ１０３の支持フレームの傾動とが常に互いに追従する構造であり、座１０２が前傾する際に背凭れ１０３の支持フレームの回転軸（支持フレームの先端部分）の回転運動も利用する構造であるので、座１０２が前傾した場合には背凭れ１０３も同様に前傾するために着座者の背中が押されて窮屈な姿勢をとらなければならない。すなわち、図６(Ｂ)に示すように、座１０２の前部が前方に沈んで前傾した際には背凭れ１０３も前傾し、また、座を前傾させた状態のままでは背凭れを後傾させることができず、着座者の背中が押されて窮屈な姿勢をとらなければならないという問題がある。これらのため、従来のロッキング機構は、座を前傾させた際の快適性が高いとは言えない。
【０００５】
そこで、本発明は、背凭れが傾動可能でありながら、座が前傾する際に背凭れが前傾することなく、そして、座が前傾した状態から背凭れを後傾させることができる椅子のロッキング機構を提供することを目的とする。
【課題を解決するための手段】
【０００６】
かかる目的を達成するため、本発明の椅子のロッキング機構は、メインフレームと、座受部材と、メインフレームと揺動可能に連結されると共に座受部材と回動可能に連結される背支持フレームとを備え、メインフレームに対して座受部材を前後動及び上下動可能且つ揺動可能に連結する回転スライド機構を有するようにしている。
【０００７】
したがって、この椅子のロッキング機構によると、メインフレームに対して背支持フレームが揺動可能であると共にメインフレームに対して座受部材が前後動及び上下動可能であることにより、背凭れが傾動可能であると共に、座が前傾する際に背凭れが前傾することがなく、且つ、座が前傾した状態から背凭れを後傾させることができる。
【０００８】
また、本発明の椅子のロッキング機構は、回転スライド機構を、メインフレームに設けられた前後方向の長孔と、座受部材に設けられた上下方向の長孔と、これら前後方向の長孔と上下方向の長孔とを貫通する連結ピンとにより構成するようにしても良く、或いは、回転スライド機構を、メインフレームに設けられた上下方向の長孔と、座受部材に設けられた前後方向の長孔と、これら上下方向の長孔と前後方向の長孔とを貫通する連結ピンとにより構成するようにしても良い。これらの場合には、回転スライド機構が比較的簡便に構成される。
【０００９】
また、本発明の椅子のロッキング機構は、連結ピンを貫通させてメインフレームに取り付けられるスライダと、スライダによってメインフレームに対して前後にスライド可能且つ揺動可能に支持されると共に座受部材に設けられたガイド部に一端が支持される反力伝達アームと、反力伝達アームを介して座受部材の前傾に対する反発力を発揮する反力付与手段とを更に備え、座受部材が、反力付与手段により発揮される反発力によって反力伝達アームを介して付勢されている水平位置と、反力伝達アームが反力付与手段の反発力に抗しながら揺動した前傾位置とに切り替えられるようにしても良い。この場合には、メインフレームに対して背支持フレームが揺動可能であると共に、前後方向の長孔及び上下方向の長孔並びにこれら長孔を貫通する連結ピンを有する回転スライド機構によってメインフレームに対して座受部材が前後動及び上下動可能であることにより、背凭れが傾動可能であると共に、座が前傾する際に背凭れが前傾することがなく、且つ、座が前傾した状態から背凭れを後傾させることができる。また、座受部材の前傾に対する反発力を発揮する反力付与手段とスライダ及び反力伝達アームとを備えることにより、背凭れの傾動とは関係なく（言い換えると、独立させて）座受部材に反発力が与えられる。
【００１０】
また、本発明の椅子のロッキング機構は、反力付与手段がロック機構付きの流体スプリングであり、座受部材が任意の傾斜位置で固定されるようにしても良い。この場合には、着座者が望む傾斜の程度で座が固定される。
【００１１】
また、本発明の椅子は、メインフレームが椅子の脚の脚支柱の上端部に取り付けられ、座受部材が座を支持し、背支持フレームが背凭れを支持する、上述の椅子のロッキング機構を備えるようにしている。この場合には、上述の椅子のロッキング機構の作用が奏される椅子が実現される。
【発明の効果】
【００１２】
本発明の椅子のロッキング機構やこのロッキング機構を備える椅子によれば、座が前傾する際に背凭れが前傾することがなく、且つ、座が前傾した状態から背凭れを後傾させることができるので、着座者に窮屈な姿勢をとらせることがなく、座を前傾させた際の快適性を向上させることが可能になる。
【００１３】
また、座受部材の前傾に対する反発力を発揮する反力付与手段とスライダ及び反力伝達アームとを備える場合には、背凭れの傾動とは独立させて座受部材に反発力を与えることができるので、椅子の利用の利便性・快適性を向上させることが可能になる。
【００１４】
また、反力付与手段がロック機構付きの流体スプリングである場合には、着座者が望む傾斜の程度で座を固定することができるので、椅子の利用の利便性・快適性を更に向上させることが可能になる。
【図面の簡単な説明】
【００１５】
【図１】本発明の椅子のロッキング機構の実施形態の一例を示す縦断面図であり、初期位置にある状態を示す図である。
【図２】実施形態の椅子のロッキング機構の平面図であり、初期位置にある状態を示す図である。
【図３】図２から座受部材のみを取り除いた状態（言い換えると、図２の座受部材を透明にした場合）の図である。
【図４】実施形態の椅子のロッキング機構の縦断面図であり、座が傾動（前傾）した状態を示す図である。
【図５】実施形態の椅子のロッキング機構の縦断面図であり、図４に示す座が前傾した状態から背支持フレームが傾動（後傾）した状態を示す図である。
【図６】従来の椅子のロッキング機構を示す図である。
【発明を実施するための形態】
【００１６】
以下、本発明の構成を図面に示す実施の形態の一例に基づいて詳細に説明する。
【００１７】
図１から図５に、本発明の椅子のロッキング機構の実施形態の一例を示す。なお、本明細書においては、椅子の座に座った着座者を基準にして上下，前後，左右を定義する。
【００１８】
本実施形態では、椅子の脚の脚支柱１９の上端部に取り付けられたメインフレーム１と、当該メインフレーム１の上方に配置されて当該メインフレーム１に対して傾動可能に支持されて取り付けられる座受部材２と、当該座受部材２の左右に離間し対向して配設されると共にメインフレーム１に対して揺動可能に支持されて取り付けられてメインフレーム１の後方に延出する一対の背支持フレーム３，３とを備える。
【００１９】
なお、脚支柱１９の上側部分にはガススプリングが内蔵されており、メインフレーム１はこのガススプリングの上端部に取り付けられる。また、座受部材２の上面には、例えば芯材となる座板とその上面に載置されるクッション材及び当該クッション材を覆う上張地とから構成される座が取り付けられ支持される。また、背支持フレーム３の、メインフレーム１の後方に延出する側には、必要に応じて背支桿等の背凭れ支持部材などを介在させて、背凭れが取り付けられる。ただし、これら座や背凭れの形状・形態等は特定のものには限定されないので、詳細についての説明や図示は省略する。
【００２０】
そして、本実施形態の椅子のロッキング機構は、メインフレーム１と、座受部材２と、メインフレーム１と揺動可能に連結されると共に座受部材２と回動可能に連結される背支持フレーム３とを備え、メインフレーム１に対して座受部材２を前後動及び上下動可能且つ揺動可能に連結する回転スライド機構５を有するようにしている。
【００２１】
特に、本実施形態の椅子のロッキング機構は、回転スライド機構５を、メインフレーム１に左右対向して設けられた前後方向の長孔１ｂ，１ｂと、座受部材２に左右対向して設けられた上下方向の長孔２ｄ，２ｄと、これら前後方向の長孔１ｂ，１ｂと上下方向の長孔２ｄ，２ｄとを左右方向に貫通する連結ピン４とにより構成するようにし、さらに、連結ピン４を貫通させてメインフレーム１に取り付けられるスライダ１７と、スライダ１７によってメインフレーム１に対して前後にスライド可能且つ揺動可能に支持されると共に座受部材２に設けられたガイド部２ｅに一端が支持される反力伝達アーム１６と、反力伝達アーム１６を介して座受部材２の前傾に対する反発力を発揮する反力付与手段１８とを備え、座受部材２が、反力付与手段１８により発揮される反発力によって反力伝達アーム１６を介して付勢されている水平位置と、反力伝達アーム１６が反力付与手段１８の反発力に抗しながら揺動した前傾位置とに切り替えられるようにしている。
【００２２】
メインフレーム１は、座受部材２と背支持フレーム３とを支持して椅子の脚の脚支柱１９に搭載させるためのものであり、座受部材２，背支持フレーム３などの各構成部材を支持する部位と剛性とを備えていれば良く、特定の構造や形状などに限定されるものではない。本実施形態では具体的には、メインフレーム１は、左右の対向する側壁１ａ，１ａと、椅子の脚の脚支柱１９の上端部に嵌合する筒状の脚支柱支持部１ｄと、これら左右の対向する側壁１ａ，１ａ及び脚支柱支持部１ｄを連結するために左右の側壁１ａ，１ａの間に架け渡されて適宜部分的に設けられる天板，底板，梁とを骨格構造として有する。そして、メインフレーム１は、脚支柱支持部１ｄにより、上側部分にガススプリングが内蔵された脚支柱１９の上端部に締まり嵌めによって固定されて取り付けられる。
【００２３】
座受部材２は、周縁上板２ｃと、周縁上板２ｃの外側端から左右対向して下方に延出する外側壁２ａ，２ａと、周縁上板２ｃの内側端から（即ち、外側壁２ａ，２ａの内側位置において）左右対向して下方に延出する内側壁２ｂ，２ｂとを有する。
【００２４】
座受部材２の前部は、回転スライド機構５を介して、座受部材２がメインフレーム１に対して前後方向及び上下方向にスライド可能且つ傾動可能にメインフレーム１に連結されて支持される。
【００２５】
回転スライド機構５は、メインフレーム１の左右の対向する側壁１ａ，１ａそれぞれの前端寄り位置に対向して設けられた前後方向の長孔１ｂ，１ｂと、座受部材２の左右の対向する内側壁２ｂ，２ｂそれぞれの前側位置に対向して設けられた上下方向の長孔２ｄ，２ｄと、左右方向に配設されて前後方向の長孔１ｂ，１ｂ及び上下方向の長孔２ｄ，２ｄに案内される連結ピン４とによって構成される。なお、前後方向の長孔１ｂは、概ね前後方向であれば良く、水平に対して傾斜していても構わない。また、上下方向の長孔２ｄは、概ね上下方向であれば良く、垂直に対して傾斜していても構わない。
【００２６】
連結ピン４は、メインフレーム１の対向する前後方向の長孔１ｂ，１ｂと、座受部材２の対向する上下方向の長孔２ｄ，２ｄとを貫通する。連結ピン４は、メインフレーム１の長孔１ｂを前後摺動可能且つ軸回転可能に貫通し、また、座受部材２の長孔２ｄを上下摺動可能且つ軸回転可能に貫通する。
【００２７】
ただし、回転スライド機構５の構成は、メインフレーム１に対して座受部材２を前後方向及び上下方向にスライド可能且つ傾動可能に連結するものであれば上述のものに限られるものではなく、例えば、座受部材２の内側壁２ｂ，２ｂに前後方向の長孔が対向して設けられると共にメインフレーム１の側壁１ａ，１ａに上下方向の長孔が対向して設けられてこれら前後方向の長孔及び上下方向の長孔を貫通して連結ピンが設けられる構成でも良い。あるいは、板状リンクであって軸方向一端の一面に当該一面から突出する第一の連結ピンと軸方向他端の他面に当該他面から突出する（即ち、第一の連結ピンと反対向きに突出する）第二の連結ピンとをそれぞれが有する左右一対のリンクがメインフレーム１の側壁１ａと座受部材２の内側壁２ｂとの間のそれぞれ（即ち、左右のそれぞれ）に介在させられて配設され、第一の連結ピンがメインフレーム１の側壁１ａに前後方向（若しくは上下方向）に摺動可能且つ軸回転可能に支持されると共に第二の連結ピンが座受部材２の内側壁２ｂに上下方向（若しくは前後方向）に摺動可能且つ軸回転可能に支持される構成でも良い。
【００２８】
背支持フレーム３は、背凭れ(図示省略)を支持すると共に揺動軸６を支点として座受部材２を傾動させる梃子として機能するものであり、回転スライド機構５の後方の位置に左右方向に配設された揺動軸６を介して、メインフレーム１に対して揺動可能に連結される（なお、図２及び図３においては左右一対の背支持フレーム３，３の図示を省略している）。
【００２９】
揺動軸６は、メインフレーム１に対して位置固定されて左右の対向する側壁１ａ，１ａを軸回転可能に貫通し、また、左右両端部分それぞれが左右の背支持フレーム３の前端寄り位置に挿し込まれる。
【００３０】
背支持フレーム３の前端寄り位置（言い換えると、メインフレーム１側位置）に反力伝達フレーム７が固定されて取り付けられる。本実施形態では具体的には、取付片７ａにより、反力伝達フレーム７が背支持フレーム３に固定されて取り付けられる。
【００３１】
そして、メインフレーム１と反力伝達フレーム７が取り付けられた背支持フレーム３との間に介在させられて反力付与機構１０が備えられる（なお、図２及び図３においては反力付与機構１０の図示を省略している）。
【００３２】
反力付与機構１０は、反力伝達フレーム７を介して背支持フレーム３の前端部を後ろに向けて付勢することによって背凭れ(図示省略)及び座受部材２の傾動に対して反発力を与えて初期位置に戻す働きをする。なお、背支持フレーム３の前端部が後方に一杯まで押し込まれ、背支持フレーム３に取り付けられた背凭れが上方に一杯まで引き上げられた状態を初期位置とし、図１及び図２，図３は初期位置にある状態を表す。
【００３３】
本実施形態の反力付与機構１０は、摺動軸１０ａによって案内されて相互の間隔を変更可能な第一のマウント１０ｂ及び第二のマウント１０ｃと、これら両ばねマウント１０ｂ，１０ｃの間に介在する圧縮コイルばね１０ｄとを有する。
【００３４】
そして、第一のマウント１０ｂは、メインフレーム１に一体成形されたマウント受け１ｃに形成された支持孔に嵌入されて支持される。
【００３５】
また、第二のマウント１０ｃは、後端に係合フック１０ｅを有する。そして、反力伝達フレーム７の前端部に取り付けられた係合軸８が係合フック１０ｅに嵌まり込み、第二のマウント１０ｃ及び反力伝達フレーム７を介して反力付与機構１０と背支持フレーム３とが揺動可能に連結される。
【００３６】
また、座受部材２と背支持フレーム３とは、左右方向に配設された回動軸９を介して、相互に相対回動(揺動)可能に連結される。これにより、座受部材２の後部は、背支持フレーム３に支持され、言い換えると、回動軸９と背支持フレーム３と揺動軸６とを介してメインフレーム１に支持される。
【００３７】
回動軸９は、座受部材２の後端寄り位置において座受部材２に対して位置固定されて左右の対向する外側壁２ａ，２ａを軸回転可能に貫通し、また、左右両端部分それぞれが左右の背支持フレーム３に挿し込まれる。
【００３８】
なお、前から順に、連結ピン４，揺動軸６，回動軸９の順に配設される。また、これらのピンや軸の滑りをよくするため、これらピンや軸が貫通したり支持されたりする部位にスリーブが取り付けられるようにしても良い。また、これらピンや軸が抜け落ちないように、端部に、ヘッド部や抜け止め用リング・止め輪などの係止手段（図示省略）が適宜設けられる。
【００３９】
また、メインフレーム１と背支持フレーム３との間に介在して両者の間で伸長しようとする力（伸び方向の反発力）を発揮する第一の流体スプリング１１が備えられる（なお、図２及び図３においては第一の流体スプリング１１及び後述する操作機構１５の図示を省略している）。本実施形態では、第一の流体スプリング１１としてロック機構付きのガススプリングが用いられる。なお、第一の流体スプリング１１がロック機構を備えることにより、背支持フレーム３（及び背凭れ）が任意の傾斜位置で固定され得る。ただし、第一の流体スプリング１１は、ロック機構付きのガススプリングに限定されるものではなく、ロック機構のないガススプリングでも良いし、さらに言えば、オイルスプリングでも良い。
【００４０】
第一の流体スプリングとしてのガススプリング１１は、シリンダー１１ａ内にシャフト１１ｂと連結したピストン（図示せず）を内蔵し、シリンダー１１ａ内のピストンの両側の空間を連通路によって連通させた構造を有する。この構造により、ガススプリング１１は、ピストンの位置によらずほぼ一定の大きさの反発力を発揮する。
【００４１】
ガススプリング１１は、シャフト１１ｂがシリンダー１１ａから突き出す向きの先端側に、ロック機構の操作機構１５を備える。ガススプリング（流体スプリング）のロック機構の操作機構及びその取り付け態様自体は周知の技術であるのでここでは詳細については省略する。概要としては、操作機構１５は、ガススプリング１１のシャフト１１ｂ先端の調整ピン１１ｃを押圧する操作アーム１５ａと、当該操作アーム１５ａをアーム揺動軸１５ｂを中心に揺動可能に支持すると共にガススプリング１１のシャフト１１ｂが貫通して支持される支持フレーム１５ｃと、操作アーム１５ａを揺動させるために一端が操作アーム１５ａに連結されたワイヤ１５ｄとを有する。
【００４２】
そして、ワイヤ１５ｄの、操作アーム１５ａに連結する側とは反対側の端部（図示省略）が引っ張られ操作アーム１５ａが揺動して調整ピン１１ｃが押し込まれることによってシリンダー１１ａ内の連通路に設けられたバルブが開けられ、ガススプリング１１が伸縮可能になって背支持フレーム３がロッキング可能になる。一方、ワイヤ１５ｄが緩められて調整ピン１１ｃが引き出されることによってバルブが閉じられ、ガススプリング１１が伸縮不能になって長さが固定されてメインフレーム１と背支持フレーム３とガススプリング１１とによって三角形のフレームが形成され、背支持フレーム３がロックされてロッキング不能になる。
【００４３】
支持フレーム１５ｃは、左右方向に配設された支持軸１２によってメインフレーム１に対して回転可能に支持される。これにより、ガススプリング１１の一端（図１に示す例では前端）はメインフレーム１と回転可能に連結される。
【００４４】
ガススプリング１１は、また、シリンダー１１ａの、シャフト１１ｂが突出する側とは反対側の端部に円筒形状の軸受け部１１ｄを有する。軸受け部１１ｄは、円筒貫通孔の軸心方向を左右方向にして配設され、左右方向に配設された連結軸１３を貫通させて軸回転可能（即ち、摺動可能）にこの連結軸１３を支持する。
【００４５】
連結軸１３は、左右両端部分それぞれが左右の背支持フレーム３に挿し込まれる。なお、連結軸１３は、回動軸９の後方に配設される。この連結軸１３により、ガススプリング１１の他端（図１に示す例では後端）は背支持フレーム３と回動可能に連結される。
【００４６】
そして、ガススプリング１１のシリンダー１１ａの、シャフト１１ｂが突出する側の端面（図１に示す例では前端面）に、シャフト１１ｂを摺動可能に貫通させてストッパ部材１４が取り付けられる。
【００４７】
ストッパ部材１４は、第一の流体スプリング１１としてはシャフト１１ｂを更に引き込むことが可能な状態においてシャフト１１ｂの引き込みを途中で制限することにより、第一の流体スプリング１１が完全に収縮する前に当該第一の流体スプリング１１の収縮を規制するものである。
【００４８】
ストッパ部材１４の素材や形状は、特定のものに限定されるものではなく、第一の流体スプリング１１の収縮を規制する作用を発揮し得るものであれば、どのようなものであっても良い。
【００４９】
なお、ストッパ部材１４の素材は、クッション材としての機能を発揮し得るように、完全な剛体よりも、適度に変形し得るもの（即ち、弾性挙動するもの）が好ましい。具体的には例えば、素材としてはエラストマー系樹脂が好ましい。また、形状としては図１や図４，５に示すように環状（ドーナツ状）が挙げられる。
【００５０】
さらに、座受部材２にガイド部２ｅが設けられて当該ガイド部２ｅと連結ピン４とを介して座受部材２とメインフレーム１との間に介在させられて反力伝達アーム１６及びスライダ１７が配設されると共に、反力伝達アーム１６と座受部材２との間に介在して両者の間で伸長しようとする力（伸び方向の反発力）を発揮する反力付与手段としての第二の流体スプリング１８が備えられる。
【００５１】
ガイド部２ｅは、反力伝達アーム１６の一端を回転可能且つ回転軸心方向と直交する方向にスライド可能に支持するものである。ガイド部２ｅは、本実施形態では、後方開口の左右方向の溝として（言い換えると、縦断面が後方開口のコ字形に）、座受部材２の前側位置において座受部材２に対して位置固定されて設けられる。なお、ガイド部２ｅは、座受部材２と一体のものとして形成されて設けられるようにしても良いし、座受部材２とは別体のものとして形成され取り付けられて設けられるようにしても良い。
【００５２】
反力伝達アーム１６は、反力付与手段としての第二の流体スプリング１８の伸び方向の反発力を、ガイド部２ｅを介して座受部材２の前傾に対する反発力として座受部材２に伝達するものである。
【００５３】
反力伝達アーム１６は、本実施形態では、左右に離間し対向して前方に延出するアーム部１６ａ，１６ａと、左右に離間し対向して下方に延出する連結部１６ｂ，１６ｂと、アーム部１６ａと連結部１６ｂとが連接していると共に左右対向するアーム部１６ａ及び連結部１６ｂをつなぎ合わせている屈曲部１６ｃとを有する。
【００５４】
各アーム部１６ａの前端部分は、軸心方向を左右方向にする円柱状に形成される。そして、この各アーム部１６ａの前端部分である円柱部分は、ガイド部２ｅとしての左右方向の溝に挿し入れられ、摺動可能に（具体的には、円柱部分を中心としてアーム部１６ａが揺動可能に、且つ、前後にスライド可能に）ガイド部２ｅに支持される。
【００５５】
スライダ１７は、反力伝達アーム１６をメインフレーム１に対して前後にスライド可能且つ揺動可能に支持するものである。
【００５６】
スライダ１７は、本実施形態では、ベース部１７ａと、ベース部１７ａの左右側端のそれぞれからメインフレーム１の左右側方位置において対向して下方に延出するガイド部１７ｂ，１７ｂと、左右に離間し対向してベース部１７ａから上方に延出する支持部１７ｃ，１７ｃとを有する。
【００５７】
左右の対向するガイド部１７ｂ，１７ｂは、メインフレーム１の側壁１ａと座受部材２の内側壁２ｂとの間に配設される。そして、左右の対向するガイド部１７ｂ，１７ｂを連結ピン４が左右方向に貫通する。このように、メインフレーム１の前後方向の長孔１ｂ，１ｂ内を移動する連結ピン４が貫通することにより、スライダ１７はメインフレーム１に対して前後スライド可能に取り付けられる。
【００５８】
左右の対向する支持部１７ｃ，１７ｃは、アーム揺動軸２０を介して反力伝達アーム１６を揺動可能に支持する。具体的には、アーム揺動軸２０が反力伝達アーム１６の屈曲部１６ｃを左右方向に貫通し、このアーム揺動軸２０の両端部がスライダ１７の左右対向する支持部１７ｃ，１７ｃに軸回転可能に支持される。これにより、反力伝達アーム１６が、支持部１７ｃ，１７ｃによってスライダ１７に揺動可能に支持される。
【００５９】
反力付与手段としての第二の流体スプリング１８は、反力伝達アーム１６を揺動させることによって反力伝達アーム１６のアーム部１６ａ，１６ａ及び座受部材２のガイド部２ｅを介して座受部材２の傾動に対して反発力を与えるものである。なお、このような反発力を与えるものとしての反力付与手段は、流体スプリングに限定されるものではなく、例えば反力付与機構１０のように圧縮コイルばね及び両端のマウントを有するものでも良い。
【００６０】
本実施形態では、反力付与手段としての第二の流体スプリング１８としてロック機構付きのガススプリングが用いられる。なお、反力付与手段としての第二の流体スプリング１８がロック機構を備えることにより、座受部材２（及び座）が任意の傾斜位置で固定され得る。ただし、第一の流体スプリング１１と同様に、第二の流体スプリング１８も、ロック機構付きのガススプリングに限定されるものではなく、ロック機構のないガススプリングでも良いし、さらに言えば、オイルスプリングでも良い。
【００６１】
反力付与手段（第二の流体スプリング）としてのガススプリング１８は、第一の流体スプリングとしてのガススプリング１１と同様に、シリンダー１８ａ内にシャフト１８ｂと連結したピストン（図示せず）を内蔵し、シリンダー１８ａ内のピストンの両側の空間を連通路によって連通させた構造を有する。
【００６２】
第二の流体スプリング１８は、シャフト１８ｂがシリンダー１８ａから突き出す向きの先端側に、ロック機構の操作機構の一部である支持フレーム２１を有する。なお、第二の流体スプリング１８のロック機構の操作機構は、支持フレーム２１を除いて図示を省略している。第二の流体スプリング１８のロック機構の操作機構の具体的な構造は、第一の流体スプリング１１のロック機構の操作機構１５と同様である。
【００６３】
支持フレーム２１は、左右の対向する側板２１ａ，２１ａそれぞれの外面から左右に突出する円柱状の凸部２１ｂ，２１ｂによって座受部材２に対して回転可能に支持される。これにより、第二の流体スプリング１８の一端（図１に示す例では後端）は座受部材２と回転可能に連結される。
【００６４】
第二の流体スプリング１８は、また、シリンダー１８ａの、シャフト１８ｂが突出する側とは反対側の端部に円筒形状の軸受け部１８ｃを有する。軸受け部１８ｃは、円筒貫通孔の軸心方向を左右方向にして配設され、左右方向に配設された連結軸２３を貫通させて軸回転可能（即ち、摺動可能）にこの連結軸２３を支持する。
【００６５】
連結軸２３は、左右両端部分それぞれが、反力伝達アーム１６の左右対向する連結部１６ｂに挿し込まれる。この連結軸２３により、第二の流体スプリング１８の他端（図１に示す例では前端）は反力伝達アーム１６と回動可能に連結される。
【００６６】
上述した椅子のロッキング機構の動作を以下に説明する。
【００６７】
まず、座や背凭れに荷重がかけられていない状態では、図１に示すように、反力付与機構１０により、反力伝達フレーム７を介して、背支持フレーム３の前部が当該背支持フレーム３の回転軸である揺動軸６よりも下方位置において後ろに向けて付勢され、背凭れ（図示省略）が着座者の自然姿勢の背中を支持する位置（初期位置）にある。なお、第一の流体スプリング１１も反力付与機構１０による上記付勢と同調する付勢力を発揮している。また、第二の流体スプリング１８によって反力伝達アーム１６を介して座受部材２の前部が上に向けて付勢され、座（図示省略）が、着座に適当な水平位置にある。このとき、回転スライド機構５を構成する連結ピン４は、前後方向の長孔１ｂ，１ｂの前端部に位置していると共に、上下方向の長孔２ｄ，２ｄの下端部に位置している。
【００６８】
そして、着座者が前屈みになって座の前部に荷重がかけられると、図４に示すように、前後方向の長孔１ｂ，１ｂによる拘束によって上下方向に移動できない連結ピン４に対して上下方向の長孔２ｄ，２ｄの分だけ座受部材２の前部が下がると共に反力伝達アーム１６が揺動して第二の流体スプリング１８が押し縮められながら、座受部材２が回動軸９を中心として揺動して座が前傾する。このとき、背支持フレーム３は、初期位置のままであり、傾動しない。すなわち、座受部材２の前傾は、回動軸９によって行われ、揺動軸６とは関係なく行われる。また、連結ピン４は、前後方向の長孔１ｂ，１ｂの前端部に位置していると共に、上下方向の長孔２ｄ，２ｄの上端部に位置している。なお、反力伝達アーム１６のアーム部１６ａ，１６ａの前端部分は、座受部材２のガイド部２ｅ内を後ろ向きにスライドすることにより、座受部材２の支持点の位置変更に対応する。
【００６９】
さらに、図４に示す座が前傾している状態において着座者が背凭れに凭り掛かると、図５に示すように、反力付与機構１０（具体的には、圧縮コイルばね１０ｄ）が押し縮められながら、背凭れ及び背支持フレーム３が揺動軸６を中心として後傾する。同時に、回動軸９を介しての連結によって座受部材２の後部が後方斜め下向きに引き込まれると共に連結ピン４が前後方向の長孔１ｂ，１ｂ内を後ろ向きに移動することによって座受部材２が後ろ向きにスライドする。このとき、スライダ１７も、座受部材２の後ろ向きのスライドに合わせて、メインフレーム１に対して後ろ向きにスライドする。また、連結ピン４は、前後方向の長孔１ｂ，１ｂの後端部に位置していると共に、上下方向の長孔２ｄ，２ｄの上端部に位置している。このように、回転スライド機構５の上下方向の長孔２ｄ，２ｄによって座受部材２は前傾することができ、且つ、座受部材２が前傾している状態で回転スライド機構５の前後方向の長孔１ｂ，１ｂによって座受部材２が後ろにスライドすることができ、このため、背支持フレーム３は後傾することができる。
【００７０】
以上のように構成された本発明の椅子のロッキング機構によれば、背支持フレーム３が傾動可能であると共に、座受部材２が前傾する際に背支持フレーム３が前傾することがなく、且つ、座受部材２が前傾した状態から背支持フレーム３を後傾させることができる。
【００７１】
なお、上述の形態は本発明の好適な形態の一例ではあるものの本発明の具体的な実施の形態がこれに限定されるものではなく、本発明の要旨を逸脱しない範囲において種々変形実施可能である。例えば、メインフレーム１，座受部材２，背支持フレーム３などの各構成部材の具体的な形状や態様は、上述の実施形態におけるものに限られるものではなく、椅子の用途やデザインなどを踏まえて適宜選択される。具体的には例えば、上述の実施形態の背支持フレーム３，３は左右に離間し対向して配設される一対のものであるが、一本のフレームからなる背支持フレームであっても良い。
【００７２】
また、上述の実施形態では反力伝達フレーム７が背支持フレーム３とは別体の部材として形成されて背支持フレーム３に固定されて取り付けられるようにしているが、反力伝達フレーム７としての機能を有する部位を背支持フレーム３と一体に形成するようにしても良い。
【００７３】
また、上述の実施形態では反力付与機構１０として圧縮コイルばね１０ｄ及び両端のマウント１０ｂ，１０ｃを有するものが用いられるようにしているが、反力付与機構１０は、背支持フレーム３及び座受部材２の傾動に対して反発力を与えるものであれば特定の仕組みに限定されるものではなく、具体的には例えば流体スプリングでも良い。
【００７４】
また、上述の実施形態では第一の流体スプリング１１の他に反力付与機構１０を備えるようにしているが、本発明において反力付与機構１０は必須の構成ではなく、反力付与機構１０を備えずに第一の流体スプリング１１のみを備える構成としても良い。第一の流体スプリング１１も、メインフレーム１と背支持フレーム３との間に介在して両者の間で伸長しようとする力を発揮するものであり、背凭れ(図示省略)及び座受部材２の傾動に対して反発力を与えて初期位置に戻すことができる。
【００７５】
また、上述の実施形態では流体スプリング１１が椅子の脚の脚支柱１９に対して後方位置に備えられるようにしているが、流体スプリング１１が椅子の脚の脚支柱１９に対して前方位置に備えられるようにしても良い。具体的には例えば、図１に示す例における反力付与機構１０に代えて（言い換えると、反力付与機構１０と入れ換えて）、メインフレーム１と背支持フレーム３との間に介在させられて備えられるようにしても良い。さらに、複数の流体スプリングが備えられるようにしても良く、具体的には例えば二本の流体スプリングが左右方向に並べられて備えられるようにしても良い。
【００７６】
また、上述の実施形態ではメインフレーム１と背支持フレーム３との連結など部材同士が揺動・回動・回転可能に連結されるために両部材に左右対向する貫通孔が設けられると共にこれら左右の貫通孔に亘って設けられる一本の軸やピンが用いられるようにしているが、部材同士を揺動・回動・回転可能に連結する構造であれば前述の構造に限られるものではなく、二本の短い軸やピンを用いて左右別々の軸やピンで両部材を連結するようにしても良いし、一方の部材に円柱状の凸部を設けると共に他方の部材に貫通孔若しくは凹部若しくはＣ字形状の爪部（軸受け部）を設けてこれら凸部と貫通孔・凹部・爪部とを摺動可能に噛み合わせて連結するようにしても良い。
【符号の説明】
【００７７】
１  メインフレーム
２  座受部材
３  背支持フレーム
５  回転スライド機構
【図１】
2015096165.tif 000003
【図２】
2015096165.tif 000004
【図３】
2015096165.tif 000005
【図４】
2015096165.tif 000006
【図５】
2015096165.tif 000007
【図６】
2015096165.tif 000008